(57)【要約】【課題】原稿カバーにより原稿を押さえている間は原稿押え部材と原稿との密着性を低下させることがなく、原稿カバーを開放する時には原稿押え部材と原稿台の密着を解除することができ、原稿載置操作に支障を来すことなく操作性の優れ、しかも読取り画像の画質を均一にできる原稿読取り装置及びこれを用いた画像形成装置を提供する。【解決手段】原稿載置台２１と、原稿を原稿載置台２１に押圧する原稿カバー１Ａ３１とを備え、原稿載置台２１に載置された原稿を原稿カバー１Ａ３１で覆い保持する原稿読取り装置１Ａ２において、原稿カバー１Ａ３１は、原稿載置台２１に載置された原稿を覆うシート状押え部材１Ａ３２と、シート状押え部材１Ａ３２を介して原稿と反対側のシート状押え部材１Ａ３２の背面側から表面に凹凸部を形成する原稿押え部材変形機構１Ａ３３を備えることを特徴とする。【選択図】図３
2008275773.tif 000002
【特許請求の範囲】
【請求項１】
読取り原稿が載置される原稿台と、読取り原稿を前記原稿台に押圧する原稿カバーとを備え、前記原稿台に載置された読取り原稿を前記原稿カバーで覆い保持する原稿読取り装置において、
前記原稿カバーは、前記原稿台に載置された読取り原稿を覆う原稿押え部材と、前記原稿押え部材を介して原稿台に対向する側と反対側の前記原稿押え部材の背面側から前記原稿押え部材の原稿台に対向する面に凹凸部を形成する原稿押え部材変形機構とを備えることを特徴とする原稿読取り装置。
【請求項２】
前記原稿押え部材変形機構は、前記原稿押え部材の一部を前記原稿押え部材の背面側から引くことで前記原稿押え部材の原稿台に対向する面に凹凸部を形成する引張り手段を備えることを特徴とする請求項１に記載の原稿読取り装置。
【請求項３】
前記原稿押え部材変形機構は、前記原稿押え部材の一部を前記原稿押え部材の背面側から押圧することで前記原稿押え部材の原稿台に対向する面に凹凸部を形成する突出手段を備えることを特徴とする請求項１または２に記載の原稿読取り装置。
【請求項４】
前記突出手段は、前記引張り手段に隣接して配置されることを特徴とする請求項３に記載の原稿読取り装置。
【請求項５】
前記原稿押え部材変形機構は、前記原稿押え部材の側端縁に近接して配置されることを特徴とする請求項１乃至４のうちの何れか一項に記載の原稿読取り装置。
【請求項６】
前記原稿読取り装置は、前記原稿カバーの開閉動作を検出する原稿カバー開閉検知手段と、前記原稿カバー開閉検知手段から出力される信号に基づき、前記原稿押え部材変形機構の動作を制御する制御手段を備えることを特徴とする請求項１乃至５のうちの何れか一項に記載の原稿読取り装置。
【請求項７】
前記原稿押え部材変形機構は、該原稿押え部材変形機構の非動作時における前記原稿押え部材への押圧力を軽減する軽減手段を備えることを特徴とする請求項１乃至６のうちの何れか一項に記載の原稿読取り装置。
【請求項８】
前記軽減手段として、前記原稿押え部材の作用する部分と係合するリンク機構を構成することを特徴とする請求項７に記載の原稿読取り装置。
【請求項９】
読取り原稿が載置される原稿台と、読取り原稿を前記原稿台に押圧する原稿カバーとを備え、前記原稿台に載置された読取り原稿を前記原稿カバーで覆い保持する原稿読取り装置を備えた画像形成装置において、
前記原稿読取り装置として、請求項１乃至８のうちの何れか一項に記載の原稿読取り装置を用いることを特徴とする画像形成装置。
【発明の詳細な説明】
【技術分野】
【０００１】
本発明は、原稿読取り装置及びこれを用いた画像形成装置に係り、特に、原稿読取り部に読取り原稿を一枚ずつ載置して読取る機能を備えた原稿読取り装置及びこれを用いた画像形成装置に関する。
【背景技術】
【０００２】
従来、複写機やスキャナ装置、ファクシミリ装置等の画像形成装置において、読取り原稿（以下、単に「原稿」と称する。）から画像を光学的に走査して読取る原稿読取り装置が搭載されている。
【０００３】
このような原稿読取り装置による画像を読取る手法は、従来技術として、原稿読取り装置を所定位置に固定して、画像を読取る位置に配置された透明のコンタクトガラス（プラテンガラス）に沿って原稿を移動しながらスキャナ（画像読取り手段）により画像を読取る方式（以下説明上、「原稿移動方式」と称する。）と、原稿載置台に固定された原稿に沿ってスキャナを移動しながら画像を読取る方式（以下説明上、「原稿固定方式」と称する。）に大別される。
【０００４】
原稿移動方式による原稿読取り装置は、複数の原稿を積載して一枚ずつ原稿を原稿読取り装置に自動供給して連続的に画像読取り処理を可能にした自動原稿搬送装置（ＡＤＦ）を搭載して、画像の読取りが終了した原稿を排紙トレイに自動排出することで、連続的に画像読取り処理を可能にして高速・大量処理に対応した画像形成装置に広く展開されている。
【０００５】
一方、原稿固定方式による原稿読取り装置は、高速処理では原稿移動方式には及ばないが、簡単な構造により安価で構成できるため一般に広く用いられている。
【０００６】
このように構成された従来の原稿読取り装置では、原稿固定方式による原稿読取り操作を行う場合は、作業者が直接原稿を原稿読取り部に載置して行うため、効率良く作業を行うために操作性の優れたものが要求されている。
【０００７】
従来の原稿読取装置は、一般に、原稿の読取り面を原稿読取り部となる原稿台に密着させるため、原稿押え部材と緩衝部材（クッション）からなる原稿カバーを備え、この原稿カバーにより原稿を原稿台に押付けるようにしている。原稿台には、いわゆるテーブルガラスが用いられ、原稿押え部材には、一般に白色シートが用いられている。
【０００８】
この白色シートは、原稿に当接する面に凹凸が無く平坦に形成され、テーブルガラスとの密着性を良好にしている。このように構成することで、原稿の浮き上がりが防止して読取り画像の画質が良好となる。
【０００９】
しかしながら、原稿読取りが終了した後に、原稿カバーを開いて原稿を取り除く際に、白色シートとテーブルガラスとの密着性が良いために白色シートとテーブルガラスとが貼りついてしまい、原稿カバーを持ち上げるときに大きな力を必要として作業性を損なうという問題が生じている。また、原稿カバーと白色シートとが別体で構成されて装着されている場合には、白色シートが原稿カバーから外れるという新たな問題が生じる。
【００１０】
そこで、上記問題の対策として、白色シートとテーブルガラスとの間に凸状の密着解除手段を設けて白色シートとテーブルガラスとの密着を解除するようにした原稿読取り装置が提案されている（特許文献１を参照）。
【００１１】
また、その他の例として、原稿押え板（白色シートに相当）の押え領域の表面に、原稿押さえ板が開状態の時には原稿押え板から突出し、閉状態の時には押さえ板と密着する複数の弾性部材を設けることで、原稿の移動を抑制するようにしたものが提案されている（特許文献２を参照）。
【特許文献１】特開２００６−６７０５１号公報
【特許文献２】実開昭６２−９１６３５号公報
【発明の開示】
【発明が解決しようとする課題】
【００１２】
しかしながら、上述した従来技術によると、特許文献１による方式では、密着解除手段に近い部分の白色シートとテーブルガラスとの密着性が弱くなるため、原稿が浮き上がり読取られた画像の画質が低下する虞がある。また、密着解除手段が露出しているため、原稿載置操作に支障をきたす虞があるという問題がある。
【００１３】
また、特許文献２による方式では、弾性部材が配置されている所と無い所とで原稿を押圧する力が異なるために、原稿の密着状態が異なることによる読取られた画像の画質にばらつきが生じる虞があるという問題がある。
【００１４】
本発明は、上記従来の問題点を鑑みてなされたものであって、原稿カバーにより原稿を押さえている間は原稿押え部材と原稿との密着性を低下させることがなく、原稿カバーを開放する時には原稿押え部材と原稿台の密着を解除することができ、原稿載置操作に支障を来すことなく操作性の優れ、しかも読取り画像の画質を均一にできる原稿読取り装置及びこれを用いた画像形成装置を提供することを目的とする。
【課題を解決するための手段】
【００１５】
上述した課題を解決するための本発明に係る原稿読取り装置及びこれを用いた画像形成装置の構成は、次の通りである。
請求項１に記載した原稿読取り装置は、読取り原稿が載置される原稿台と、読取り原稿を前記原稿台に押圧する原稿カバーとを備え、前記原稿台に載置された読取り原稿を前記原稿カバーで覆い保持する原稿読取り装置において、前記原稿カバーの構成として、前記原稿台に載置された読取り原稿を覆う原稿押え部材と、前記原稿押え部材を介して原稿台に対向する側と反対側の前記原稿押え部材の背面側から前記原稿押え部材の原稿台に対向する面に凹凸部を形成する原稿押え部材変形機構とを備えることを特徴とするものである。
【００１６】
本発明において、前記原稿台として平坦なテーブルガラスを用いることが好ましい。さらに、前記原稿押え部材はシート状部材を含み、白色シート部材を用いることが好ましい。
【００１７】
請求項２に記載した原稿読取り装置は、請求項１に記載した構成に加えて、前記原稿押え部材変形機構の構成として、前記原稿押え部材の一部を前記原稿押え部材の背面側から引くことで前記原稿押え部材の原稿台に対向する面に凹凸部を形成する引張り手段を備えることを特徴とするものである。
【００１８】
請求項３に記載した原稿読取り装置は、請求項１または２に記載した構成に加えて、前記原稿押え部材変形機構として、前記原稿押え部材の一部を前記原稿押え部材の背面側から押圧することで前記原稿押え部材の原稿台に対向する面に凹凸部を形成する突出手段を備えることを特徴とするものである。
【００１９】
請求項４に記載した原稿読取り装置は、請求項３に記載した構成に加えて、前記突出手段を前記引張り手段に隣接して配置することを特徴とするものである。
【００２０】
請求項５に記載した原稿読取り装置は、請求項１乃至４のうちの何れか一項に記載した構成に加えて、前記原稿押え部材変形機構を、前記原稿押え部材の側端縁に近接して配置することを特徴とするものである。
【００２１】
請求項６に記載した原稿読取り装置は、請求項１乃至５のうちの何れか一項に記載した構成に加えて、前記原稿カバーの開閉動作を検出する原稿カバー開閉検知手段と、前記原稿カバー開閉検知手段から出力される信号に基づき、前記原稿押え部材変形機構の動作を制御する制御手段を備えることを特徴とするものである。
【００２２】
請求項７に記載した原稿読取り装置は、請求項１乃至６のうちの何れか一項に記載した構成に加えて、前記原稿押え部材変形機構として、該原稿押え部材変形機構の非動作時における前記原稿押え部材への押圧力を軽減する軽減手段を備えることを特徴とするものである。
【００２３】
請求項８に記載した原稿読取り装置は、請求項７に記載に記載した構成に加えて、前記軽減手段として、前記原稿押え部材の作用する部分と係合するリンク機構を構成することを特徴とするものである。
【００２４】
また、請求項９に記載した画像形成装置は、読取り原稿が載置される原稿台と、読取り原稿を前記原稿台に押圧する原稿カバーとを備え、前記原稿台に載置された読取り原稿を前記原稿カバーで覆い保持する原稿読取り装置を備えた画像形成装置において、前記原稿読取り装置として、請求項１乃至８のうちの何れか一項に記載の原稿読取り装置を用いることを特徴とするものである。
【発明の効果】
【００２５】
請求項１に記載した発明によれば、読取り原稿が載置される原稿台と、読取り原稿を前記原稿台に押圧する原稿カバーとを備え、前記原稿台に載置された読取り原稿を前記原稿カバーで覆い保持する原稿読取り装置において、前記原稿カバーの構成として、前記原稿台に載置された読取り原稿を覆う原稿押え部材と、前記原稿押え部材を介して原稿台に対向する側と反対側の前記原稿押え部材の背面側から前記原稿押え部材の原稿台に対向する面に凹凸部を形成する原稿押え部材変形機構とを備えることで、原稿カバーを閉じて原稿押え部材により原稿を押さえている時は、原稿押え部材と原稿との密着性を良好にして、一方、原稿カバーを開放する時は、原稿押え部材変形機構により前記原稿押え部材の原稿台に対向する面に凹凸部を形成することで、前記原稿押え部材と原稿台の密着を解除することができる。これにより、原稿載置操作に支障を来すことなく操作性の優れた装置構成を実現できるとともに、読取り画像の画質を均一にできる原稿読取り装置を実現できるという優れた効果を奏し得る。
【００２６】
また、請求項２〜９に記載の発明によれば、請求項１に記載の発明で得られる上記共通の効果に加え、次の効果を得ることができる。
【００２７】
すなわち、請求項２に記載した発明によれば、前記原稿押え部材変形機構の構成として、前記原稿押え部材の一部を前記原稿押え部材の背面側から引くことで前記原稿押え部材の原稿台に対向する面に凹凸部を形成する引張り手段を備えることで、部分的に密着状態を解除して密着力を低減できるので、原稿押え部材と原稿台との密着状態を容易に解除することができる。
【００２８】
請求項３に記載した発明によれば、請求項１または２に記載の発明で得られる効果に加えて、前記原稿押え部材変形機構として、前記原稿押え部材の一部を前記原稿押え部材の背面側から押圧することで前記原稿押え部材の原稿台に対向する面に凹凸部を形成する突出手段を備えることで、引張り手段と突出手段とにより凹凸部の相対高さを拡大できるので、原稿押え部材と原稿台との密着状態をさらに容易に解除することができる。
【００２９】
請求項４に記載した発明によれば、請求項３に記載の発明で得られる効果に加えて、前記突出手段を前記引張り手段に隣接して配置することで、原稿押え部材と原稿台との密着状態を解除する作用をさらに効果的に行うことができる。
【００３０】
請求項５に記載した発明によれば、請求項１乃至４のうちの何れか一項に記載の発明で得られる効果に加えて、前記原稿押え部材変形機構を前記原稿押え部材の側端縁に近接して配置することで、前記原稿押え部材の側端縁から該原稿押え部材と原稿台との間へ空気が入り込み易くなるため、効果的に密着状態を解除することができる。
【００３１】
請求項６に記載した発明によれば、請求項１乃至５のうちの何れか一項に記載の発明で得られる効果に加えて、前記原稿カバーの開閉動作を検出する原稿カバー開閉検知手段と、前記原稿カバー開閉検知手段から出力される信号に基づき、前記原稿押え部材変形機構の動作を制御する制御手段を備えることで、簡単な制御により前記原稿カバーが前記原稿台の上面を開放する時に、前記原稿押え部材変形機構が前記原稿押え部材の原稿台に対向する面に凹凸部を形成することができる。
【００３２】
請求項７に記載した発明によれば、請求項１乃至６のうちの何れか一項に記載の発明で得られる効果に加えて、前記原稿押え部材変形機構として、該原稿押え部材変形機構の非動作時における前記原稿押え部材への押圧力を軽減する軽減手段を備えることで、原稿押え部材における接続部とそうでない領域とで原稿に対する押圧力が変わることなく、原稿を十分に平面にできるので、原稿読取り時に原稿に対して原稿押え部材変形機構の影響が出ないようにすることができる。
【００３３】
請求項８に記載した発明によれば、請求項７に記載の発明で得られる効果に加えて、前記軽減手段として、前記原稿押え部材の作用する部分と係合するリンク機構を構成することで、前記原稿押え部材変形機構と原稿押え部材との接続部に原稿押え部材変形機構の影響、例えば、原稿押え部材変形機構を駆動するソレノイドの鉄心の重量による影響を無くすことができる。
【００３４】
また、請求項９に記載した発明によれば、読取り原稿が載置される原稿台と、読取り原稿を前記原稿台に押圧する原稿カバーとを備え、前記原稿台に載置された読取り原稿を前記原稿カバーで覆い保持する原稿読取り装置を備えた画像形成装置おいて、前記原稿読取り装置として、請求項１乃至８のうちの何れか一項に記載の原稿読取り装置を用いることで、原稿カバーを閉じて原稿押え部材により原稿を押さえている時は、原稿押え部材と原稿との密着性を良好にして、一方、原稿カバーを開放する時は、前記原稿押え部材と原稿台の密着を容易に解除することができる。これにより、原稿載置操作に支障を来すことなく操作性の優れた装置構成を実現できるとともに、読取り画像の画質を均一にできる画像形成装置を実現できるという優れた効果を奏し得る。
【発明を実施するための最良の形態】
【００３５】
以下、本発明の実施の形態について図面を参照して詳細に説明する。
図１は本発明に係る原稿読取り装置が採用された画像形成装置の全体の構成を示す説明図、図２は前記画像形成装置の装置本体の構成を示す部分詳細図である。
【００３６】
本実施形態に係る画像形成装置１Ａは、図１，図２に示すように、スキャナ等に読み込まれた画像データや外部から伝達された画像データを電子写真方式によって、画像形成部１４において回転駆動される円筒状の感光体ドラム（潜像担持体）３上に静電潜像を形成して、現像器２において前記静電潜像を帯電性のトナーと磁性キャリアの２成分を混合して帯電された現像剤によって現像剤像として可視像化した後、記録媒体となる所定のシート状の記録用紙（以下、用紙と称する。）に転写してモノクロ（単色）画像として出力する画像形成装置であって、読取り原稿（以下、原稿と称する。）が載置される原稿載置台２１と、原稿を原稿載置台２１に押圧する原稿カバー１Ａ３１とを備えて、原稿載置台２１に載置された原稿を原稿カバー１Ａ３１で覆い保持する原稿読取り装置を備えた画像形成装置おいて、原稿読取り装置として、本発明に係る特徴的な原稿読取り装置１Ａ２を採用したものである。
【００３７】
まず、本実施形態に係る画像形成装置１Ａの全体構成について図面を参照して説明する。
画像形成装置１Ａは、図１，図２に示すように、主に、露光ユニット１、現像器２、感光体ドラム３、帯電器４、除電装置４１、クリーナユニット５、定着ユニット６、用紙搬送装置７、給紙トレイ８、排紙トレイ９及び転写機構１０等より構成される装置本体１Ａ１と、原稿読取り装置１Ａ２とにより構成されている。
【００３８】
装置本体１Ａ１の上面部には、原稿が載置される透明ガラスからなる原稿載置台２１が設けられ、この原稿載置台２１の上方には、原稿読取り装置１Ａ２を構成する自動原稿処理装置１Ａ３が上方に向かい揺動開放自在に設けられ、一方、この原稿載置台２１の下方には、原稿の画像情報を読み取る原稿読み取り部であるスキャナ部２２が配置されている。
【００３９】
そのスキャナ部２２の下方には、露光ユニット１、現像器２、感光体ドラム３、帯電器４、除電装置４１、クリーナユニット５、定着ユニット６、用紙搬送装置７、排紙トレイ９及び転写機構１０が配設され、さらに、その下方には、用紙Ｐが収納された給紙トレイ８が配設されている。
【００４０】
露光ユニット１は、図示しない画像処理部から出力された画像データに応じてレーザ光を帯電器４によって均一に帯電された感光体ドラム３の表面に照射して露光することにより、該感光体ドラム３の表面に画像データに応じた静電潜像を書込み形成する機能を有するものである。
【００４１】
露光ユニット１は、スキャナ部２２の直下で且つ感光体ドラム３上方に配置され、レーザ照射部１１および反射ミラー１２を備えたレーザスキャニングユニット（ＬＳＵ）１３ａ，１３ｂが採用されている。本実施形態では、高速印字処理を行うために、複数のレーザ光を利用し、照射タイミングの高速化を低減する手法を用いた２ビーム手法を採用している。
【００４２】
尚、本実施形態では、露光ユニット１にレーザスキャニングユニット（ＬＳＵ）１３ａ，１３ｂを用いているが、発光素子をアレイ状に並べたもの、例えばＥＬやＬＥＤ書込みヘッドを用いるものであっても良い。
【００４３】
感光体ドラム３は、図２に示すように、円筒状を呈し、露光ユニット１の下方に配設され、図示しない駆動手段と制御手段により所定方向（図中の矢印Ａ方向）に回転するように制御されている。この感光体ドラム３の外周面に沿って、画像転写終了後の位置を基準として感光体ドラム回転方向下流側に向かい、用紙剥離爪３１、クリーナユニット５、電界発生部としての帯電器４、現像器２、除電装置４１の順に配置されている。
【００４４】
用紙剥離爪３１は、ソレノイド３２により感光体ドラム３の外周面に接離可能に配置されている。この用紙剥離爪３１は、感光体ドラム３の外周面に当接した状態で、感光体ドラム３上の未定着トナー像を用紙Ｐに転写する際にその感光体ドラム３の表面に張り付いた用紙Ｐを剥離するものである。尚、用紙剥離爪３１の駆動手段として、ソレノイド３２の換わりに駆動用モータ等を採用しても良く、その他の駆動手段の選択も可能である。
【００４５】
現像器２は、感光体ドラム３上に形成された静電潜像を黒トナーで顕像化するものであって、感光体ドラム回転方向（図中の矢印Ａ方向）で帯電器４より下流側で感光体ドラム３の側方で略水平（図中で右側）に配置されている。この現像器２下方には記録媒体搬送方向上流側にレジストローラ１５が配置されている。
【００４６】
レジストローラ１５は、給紙トレイ８から供給された用紙Ｐの先端と感光体ドラム３上のトナー像とを整合して感光体ドラム３と転写ベルト１０３との間に搬送するように、図示しない駆動手段と制御手段とのより動作制御されている。
【００４７】
帯電器４は、感光体ドラム３の表面を所定の電位に均一に帯電させるための帯電手段であって、感光体ドラム３の上方でその外周面に近接して配置されている。尚、本実施形態では、チャージャー型の帯電器４を用いているが、接触型のローラ方式によるものやブラシ方式によるものを用いるものであっても良い。
【００４８】
除電装置４１は、感光体ドラム３の表面に形成されたトナー像を用紙Ｐに転写し易くするために該感光体ドラム３の表面電位を低下させるための転写前除電手段であって、感光体ドラム回転方向で現像器２より下流側で、且つ該感光体ドラム３の下方でその外周面に近接して配置されている。尚、本実施形態では、除電装置４１は、除電電極を用いて構成されているが、除電電極の替わりに除電ランプを用いたり、その他の方式により除電するようにしたものであっても良い。
【００４９】
クリーナユニット５は、現像・画像転写後における感光体ドラム３上の表面に残留したトナーを除去・回収するものであって、感光体ドラム３を挟んで現像器２と略対向する位置で感光体ドラム３の側方で略水平（図中で左側）に配置されている。
【００５０】
上述したように、感光体ドラム３上で顕像化された静電像は、静電像が有する電荷の逆極性の電界が搬送される用紙Ｐ上に転写機構１０から印加されることで用紙Ｐ上に転写される。例えば、静電像が（−）極性の電荷を有している時は、転写機構１０の印加極性は（＋）極性となる。
【００５１】
転写機構１０は、図２に示すように、駆動ローラ１０１、従動ローラ１０２及び他のローラで架橋されるとともに、所定の抵抗値（本実施形態では１×１０9〜１×１０13Ω・cmの範囲）を有する転写ベルト１０３が配置された転写ベルト式ユニットで構成され、感光体ドラム３の下方で、転写ベルト１０３の表面が感光体ドラム３の外周面の一部と接触するように配置されている。この転写ベルト１０３により、用紙Ｐを感光体ドラム３に押圧しながら搬送するようになっている。
【００５２】
感光体ドラム３と転写ベルト１０３の接触部１０４には、駆動ローラ１０１及び従動ローラ１０２とは異なる導電性で転写電界を印加可能な弾性導電性ローラ１０５が配置されている。
【００５３】
弾性導電性ローラ１０５は、弾性ゴム、発泡性樹脂等の軟質材料により構成されている。この弾性導電性ローラ１０５が弾性を有することで、感光体ドラム３と転写ベルト１０３とが線接触でなく、所定の幅（「転写ニップ」と呼ばれる。）を有する面接触となるので、搬送される用紙Ｐへの転写効率の向上を図ることができる。
【００５４】
さらに、転写ベルト１０３の転写領域の用紙搬送方向下流側には、搬送される用紙Ｐが転写領域で印加された電界を除電し、次工程への搬送をスムーズに行う為の除電ローラ１０６が転写ベルト１０３の背面側に配置されている。
【００５５】
また、転写機構１０には、転写ベルト１０３の残留トナーによる汚れを取るクリーニングユニット１０７と、転写ベルト１０３の除電を行う複数の除電機構１０８が配置されている。この除電機構１０８に用いられる除電を行うための手法として、装置を介して接地する手法、若しくは積極的に前記転写電界の極性とは逆極性を印加する手法がある。
【００５６】
転写機構１０で用紙Ｐ上に転写された静電像（未定着トナー）は、定着ユニット６に搬送されて加圧・加熱されることで未定着トナーが溶融されて用紙Ｐ上に定着される。
【００５７】
定着ユニット６は、図２に示すように、加熱ローラ６ａ、加圧ローラ６ｂとを備え、この加熱ローラ６ａと加圧ローラ６ｂとにより用紙Ｐを挟持した状態で加熱ローラ６ａを回転させ、加熱ローラ６ａと加圧ローラ６ｂとの間を通過させることにより、用紙Ｐ上に転写されたトナー像を溶融して定着させるものである。定着ユニット６の用紙搬送方向下流側には、用紙Ｐを搬送する搬送ローラ１６が設けられている。
【００５８】
加熱ローラ６ａは、その外周部には用紙剥離爪６１１、ローラ表面温度検出部材であるサーミスター６１２、ローラ表面クリーニング部材６１３が配置され、内周部には加熱ローラ表面を所定温度（定着設定温度：概ね１６０〜２００℃）とする熱源６１４が設けられている。
【００５９】
加圧ローラ６ｂは、ローラの両端部で加熱ローラ６ａに対し所定圧量で加圧ローラ６ｂが圧接することが可能な加圧部材６２１が配置され、さらに、加圧ローラ６ｂの外周には加熱ローラ６ａの外周と同様に用紙剥離爪６２２、ローラ表面クリーニング部材６２３が配置されている。
【００６０】
この定着ユニット６は、図２に示すように、加熱ローラ６ａと加圧ローラ６ｂとの圧接部（いわゆる定着ニップ部と呼ばれる。）６００において、搬送される用紙Ｐ上の未定着トナーを加熱ローラ６ａにより加熱して溶融し、該加熱ローラ６ａと加圧ローラ６ｂとの圧接力による用紙Ｐ上への投鋲作用で、未定着トナーを用紙Ｐ上に定着するようになっている。
【００６１】
給紙トレイ８は、画像情報が出力（印字）されるシート（用紙）を複数枚蓄積しておくためのものであり、露光ユニット１、現像器２、感光体ドラム３、帯電器４、除電装置４１、クリーナユニット５、定着ユニット６等で構成される画像形成部１４の下側に構成されている。この給紙トレイ８の排紙側上部には、用紙ピックアップローラ８ａが配置されている。
【００６２】
この用紙ピックアップローラ８ａは、給紙トレイ８内に積載収容された用紙Ｐを最上層から１枚ずつピックアップし、下流側に向かって（便宜上の用紙Ｐの流れ出し側（カセット側）を上流、排紙側を下流とする。）用紙搬送装置７を構成する用紙搬送路７ａ上のレジストローラ（「アイドルローラ」とも称する。）１５側に搬送するようになっている。
【００６３】
本実施形態に係る画像形成装置１Ａでは、高速印字処理を行うことを目的とするため、画像形成部１４の下方に定型サイズの用紙Ｐを各々のトレイに５００〜１５００枚収納可能な複数の給紙トレイ８が配置され、一方、装置側面には複数の用紙種類を多量に収納可能な大容量給紙カセット８１が配置されるとともに、該大容量給紙カセット８１の上方に、主に不定型サイズの印字等に対応する手差しトレイ８２が設けられている。
【００６４】
排紙トレイ９は、手差しトレイ８２とは反対側の装置側面に配置されている。また、排紙トレイ９に変わって、排紙用紙の後処理装置（ステープル、パンチ処理等を行う装置）や複数段排紙トレイ等をオプションとして配置することも可能な構成となっている。
【００６５】
用紙搬送装置７は、前述した感光体ドラム３と給紙トレイ８との間に構成され、用紙搬送装置７に備わる用紙搬送路７ａを経由させて、給紙トレイ８から供給される用紙Ｐを一枚ずつ転写機構１０に搬送し、転写機構１０において、感光体ドラム３からトナー像が転写された用紙を定着ユニット６に搬送し、定着ユニット６において、未定着トナー像を用紙に定着した後に、指定された排紙処理モードに応じて形成された用紙搬送路や分岐爪によって用紙を搬送するように構成されている。
【００６６】
本実施形態に係る画像形成装置１Ａは、予め設定された排出処理モードとして、片面印字モードおよび両面印字モードが設定されている。片面印字モードにおいて、排出処理として印字面を上方に向けて排出されるフェースアップ排出、および、印字面を下方に向けて排出されるフェースダウン排出が設定されている。
【００６７】
ここで、画像形成装置１Ａにおける用紙搬送装置７による処理モードに対応した用紙搬送工程について説明する。
印字要求に合致する用紙Ｐは、図１，図２に示すように、複数の給紙トレイ８の中から選択され、用紙搬送路７ａ中の搬送ローラによってレジストローラ１５まで搬送される。
レジストローラ１５に到達して一旦停止した用紙Ｐは、用紙Ｐの先端と前記感光体ドラム３上の画像情報を合致させるタイミングでレジストローラが再び回転することで転写機構１０に搬送され、用紙Ｐ上に感光体ドラム３から未定着トナー像（画像情報）が転写された後、定着ユニット６で用紙Ｐ上にトナー像が固着されて排紙トレイ９に排出される。
【００６８】
この用紙搬送路７ａ内の搬送経路において、画像形成装置１Ａが有する処理モード（コピアモード、プリンタモード、ＦＡＸモード）、および印字処理手法（片面印字、両面印字）によって定着ユニット６以降から排紙トレイ９までの搬送方法が異なる。
通常、コピアモードでは、ユーザが画像形成装置１Ａの近傍で操作を行うことから“フェースアップ排出”と呼ばれる印字面が上側になって排出される手法が多く用いられる。
【００６９】
一方、プリンタ、ＦＡＸ等の各モードでは、ユーザが画像形成装置１Ａの近傍にいないことから排出された用紙Ｐのページ順を揃える“フェースダウン排出”手法が多く用いられている。従って、画像形成装置１Ａでは、定着ユニット６を通過した用紙Ｐを排紙トレイ９に排出するまでの間に、複数の搬送路を経由して、上記目的に合致する用紙排出を行うようになっている。
【００７０】
次に、本実施形態に係る特徴的な原稿読取り装置１Ａ２について図面を参照して詳細に説明する。図３は本実施形態に係る原稿読取り装置を構成する自動原稿処理装置の構成を示す説明図である。
【００７１】
原稿読取り装置１Ａ２は、図２，図３に示すように、主に画像形成装置１Ａ上部のスキャナ部２２と、複数の原稿を連続的に搬送して画像を読取る自動原稿処理装置１Ａ３とにより構成されている。
【００７２】
まず、自動原稿処理装置１Ａ３について図面を参照して詳細に説明する。
自動原稿処理装置１Ａ３は、画像形成装置１Ａ上部のスキャナ部２２の上方において、原稿載置台（原稿台）２１の上面を開放／遮蔽自在に配置され、原稿載置台２１上に載置される原稿を一枚ずつ読取るようにされている。
具体的には、図３に示すように、自動原稿処理装置１Ａ３の外装部を兼ねる原稿カバー１Ａ３１の一端側を揺動支点側１Ａ３１ａとし、他端側を自由端側１Ａ３１ｂとして原稿載置台２１上で揺動可能に構成し、原稿載置台２１に載置された原稿を原稿カバー１Ａ３１で覆い保持するように構成されている。原稿カバー１Ａ３１は、支軸１Ａ３１ｃによりスキャナ部２２側に揺動可能に軸支されている。
【００７３】
また、自動原稿処理装置１Ａ３は、図２に示すように、原稿を複数枚収納可能な原稿トレイ２Ｂと、原稿トレイ２Ｂから供給される原稿を装置内に導入する給送ローラ５Ａと、原稿トレイ２Ｂから装置内に導入された原稿を搬送する原稿搬送路Ｈ１と、原稿搬送路Ｈ１内に導入された原稿を搬送する搬送ローラＲ（Ｒ１〜Ｒ６）とを備えて、画像読取位置Ｓ（Ｓ１，Ｓ２）に原稿を自動的に搬送する原稿搬送装置１Ｂを備え、複数の原稿を連続的に搬送して画像を読取る機能を有している。
【００７４】
図２に示すように、原稿トレイ２Ｂから第１画像読取位置Ｓ１及び第２画像読取位置Ｓ２を経由して排出トレイ３Ｂに至る間には、ピックアップローラ４Ｂ、給送ローラ５Ａ、捌きローラ５Ｂ及びローラＲ１〜Ｒ６を備えた略Ｃ字状を呈する原稿搬送路Ｈ１が形成されている。
【００７５】
ローラＲ１，Ｒ２，Ｒ４及びＲ５は、原稿搬送路Ｈ１内において原稿を所定速度で搬送するための搬送ローラである。ローラＲ３は、画像読取位置Ｓ１及びＳ２における画像情報の読取タイミングに同期して回転を開始するレジストローラである。読取タイミングに先立って原稿トレイ２Ｂから搬送された原稿は、その前端部を停止中のレジストローラＲ３に当接させて斜行を矯正された後、回転を開始したレジストローラＲ３によって所定の読取タイミングで画像読取位置Ｓ１及びＳ２に搬送される。ローラＲ６は、画像情報の読取処理を完了した原稿を排出トレイ３Ｂに排出する排出ローラである。
【００７６】
原稿搬送路Ｈ１において、画像形成装置１Ａに設けられた原稿載置台２１に対向する第１画像読取位置Ｓ１には、原稿載置台２１に設けられた第１原稿読取り台１０Ａに対して所定の間隙を設けてプラテン１０Ｂが配置されている。原稿が第１原稿読取り台１０Ａとプラテン１０Ｂとの間の第１画像読取位置Ｓ１を通過する時に、画像形成装置１Ａのスキャナ部２２に備えられたＣＣＤ読取ユニット２２Ａによって原稿の表面からの画像情報の読取が行われる。
【００７７】
原稿搬送路Ｈ１において、第１画像読取位置Ｓ１の下流側に位置する第２画像読取位置Ｓ２に設けられた第２原稿読取り台１６Ａの上面側にはプラテンガラス１６Ｂが配置されている。
【００７８】
原稿の片面のみから画像情報を読み取る片面原稿読取時には、原稿トレイ２Ｂに載置された原稿の最上面に当接したピックアップローラ４Ｂの回転によって繰り出された原稿が、給送ローラ５Ａの回転によって原稿搬送路Ｈ１内に導かれる。このとき、給送ローラ５Ａと同方向に回転する捌きローラ５Ｂにより、最上部に位置する原稿以外の原稿が原稿トレイ２Ｂ内に戻され、最上部に位置する１枚の原稿のみが原稿搬送路Ｈ１内に送り出される。
【００７９】
原稿トレイ２Ｂから送り出された原稿は、搬送ローラＲ１及びＲ２の回転によって原稿搬送路Ｈ１内を搬送され、レジストローラＲ３の回転によって所定のタイミングで第１画像読取位置Ｓ１に向かって搬送される。
【００８０】
原稿は、第１画像読取位置Ｓ１を通過する間に、第１画像読取位置Ｓ１の下方に停止している光源ユニット１３Ｂを含むスキャナ部２２のＣＣＤ読取ユニット２２Ａによって表面の画像情報が読み取られる。表面の画像情報が読み取られた原稿は、搬送ローラＲ４，Ｒ５及び排出ローラＲ６の回転により、排出トレイ３Ｂに排出される。
【００８１】
原稿の両面から画像情報を読み取る両面原稿読取時には、片面原稿読取時と同様にして原稿搬送路Ｈ１内に送り出された１枚の原稿は、第１画像読取位置Ｓ１での表面の画像情報の読取処理が終了した後、搬送ローラＲ４及びＲ５を介して第２画像読取位置Ｓ２に導かれ、第２画像読取位置Ｓ２を通過する時に、図示しないＣＣＤによって裏面の画像情報の読取を受ける。両面からの画像情報の読取が完了した原稿は、排出ローラＲ６の回転により、排出トレイ３Ｂに排出される。
【００８２】
次に、本発明に係る原稿カバー１Ａ３１の特徴的な構成について図面を参照して詳細に説明する。
原稿カバー１Ａ３１は、図３に示すように、一端側を揺動支点側１Ａ３１ａとし、他端側を自由端側１Ａ３１ｂとして原稿載置台２１上で上下方に揺動可能に構成されている。
【００８３】
原稿カバー１Ａ３１の原稿載置台２１と対向する部位には、原稿載置台２１に載置された原稿を覆うシート状押え部材（原稿押え部材）１Ａ３２と、シート状押え部材１Ａ３２を介して原稿と反対側のシート状押え部材１Ａ３２の背面側からシート状押え部材１Ａ３２の原稿載置台２１に対向する面に凹凸部を形成する原稿押え部材変形機構１Ａ３３とを備えている。
【００８４】
原稿カバー１Ａ３１の自由端側１Ａ３１ｂの下側には、スイッチ押圧部１Ａ３６が図中下方に向かい突出して配置されている。スイッチ押圧部１Ａ３６は、スキャナ部２２の原稿載置台２１に近接して配置された近接スイッチ（原稿カバー開閉検知手段）１Ａ３７と対向する位置に配置されている。
【００８５】
シート状押え部材１Ａ３２は、白色のシート部材より成り、原稿載置台２１に対向する面が原稿読取り装置１Ａ２により読取り可能な原稿サイズよりも大きく構成されている。また、シート状押え部材１Ａ３２の背面側には、緩衝部材１Ａ３４が重ねて配置されている。緩衝部材１Ａ３４は、スポンジ部材等の弾性部材により形成され、シート状押え部材１Ａ３２の背面に沿って略同じ平面形状で一体的に配置されている。
【００８６】
このように構成することで、原稿載置台２１に原稿が載置された状態で原稿カバー１Ａ３１が閉じられた時に、シート状押え部材１Ａ３２によって原稿を均一な圧力で押圧するとともに、その原稿を介して原稿載置台２１を押圧することで、原稿と原稿載置台２１とを密着するようにされている。
【００８７】
原稿押え部材変形機構１Ａ３３の構成として、図３に示すように、シート状押え部材１Ａ３２の背面側に複数の第１ソレノイド（引張り手段）１Ａ３５が配置されている。複数箇所に配置された第１ソレノイド１Ａ３５の一部は、シート状押え部材１Ａ３２の側端縁に近接して配置されている。
【００８８】
第１ソレノイド１Ａ３５は、原稿カバー１Ａ３１内に設けられ図示しない支持体によって保持され、本体１Ａ３５ａと、この本体１Ａ３５ａにより突出／引き込み可能なプランジャ１Ａ３５ｂを備えている。プランジャ１Ａ３５ｂは、シート状押え部材１Ａ３２の背面側に向かい配置され、その先端部１Ａ３５ｂ１がシート状押え部材１Ａ３２の背面側の一部（以下、接続部１Ａ３２ｐと称する。）と接続されている。
【００８９】
すなわち、第１ソレノイド１Ａ３５は、プランジャ１Ａ３５ｂを本体１Ａ３５ａに引き込むことで、プランジャ１Ａ３５ｂに接続されたシート状押え部材１Ａ３２の接続部１Ａ３２ｐを背面側から引くようにされている。
【００９０】
スイッチ押圧部１Ａ３６は、原稿カバー１Ａ３１を閉じた時に、近接スイッチ１Ａ３７と当接して該近接スイッチ１Ａ３７をＯＮ状態とし、原稿カバー１Ａ３１を開放するように動作させた時に、近接スイッチ１Ａ３７から離間して該近接スイッチ１Ａ３７をＯＦＦ状態とするようにされている。
【００９１】
ここで、本実施形態に係る原稿押え部材変形機構１Ａ３３の動作制御についてブロック図を参照して説明する。図４は本実施形態に係る原稿押え部材変形機構の動作制御を示すブロック図である。
【００９２】
原稿読取り装置１Ａ２は、図４に示すように、原稿押え部材変形機構１Ａ３３の動作を制御する制御部（制御手段）１Ａ３８と、制御部１Ａ３８からの指令に基づき原稿押え部材変形機構１Ａ３３の第１ソレノイド１Ａ３５を駆動するドライバ１Ａ３９を備えている。
【００９３】
制御部１Ａ３８は、近接スイッチ１Ａ３７から出力される信号に基づき、原稿押え部材変形機構１Ａ３３の動作を制御する。尚、制御部１Ａ３８は、原稿読取り装置１Ａ２の原稿搬送や原稿読取りに係る各駆動部を制御する制御部に、原稿押え部材変形機構１Ａ３３の動作を制御する機能を備えたものであっても良い。
【００９４】
ドライバ１Ａ３９は、原稿カバー１Ａ３１が開閉された時に近接スイッチ１Ａ３７から出力される信号に基づく制御部１Ａ３８からの指令によって第１ソレノイド１Ａ３５を動作させる。
【００９５】
第１ソレノイド１Ａ３５は、ドライバ１Ａ３９からの指令に基づき、原稿カバー１Ａ３１が開放した時にプランジャ１Ａ３５ｂを本体１Ａ３５ａに引き込むように作動させ、原稿カバー１Ａ３１が閉じられた時に、プランジャ１Ａ３５ｂを本体１Ａ３５ａから突出させるように作動する。
【００９６】
次に、原稿読取り装置１Ａ２における原稿一枚毎の載置／取除き操作時の原稿カバー１Ａ３１による作用について図面を参照して説明する。
図５は本実施形態に係る原稿読取り装置の原稿カバーを開放する時の初期動作時の原稿押え部材変形機構によるシート状押え部材と原稿載置台の状態を示す説明図である。
【００９７】
原稿載置台２１の上面側を原稿カバー１Ａ３１によって閉じた状態の時は、図３に示すように、原稿載置台２１とシート状押え部材１Ａ３２とが密着した状態となっている。
【００９８】
原稿カバー１Ａ３１が閉じた状態の時は、原稿カバー１Ａ３１下側のスイッチ押圧部１Ａ３６が近接スイッチ１Ａ３７と当接して、該近接スイッチ１Ａ３７がＯＮ状態となっている。
【００９９】
この時、第１ソレノイド１Ａ３５はプランジャ１Ａ３５ｂを本体１Ａ３５ａから突出した状態となっており、シート状押え部材１Ａ３２は平坦端な状態で原稿を原稿載置台２１に対して押圧している。すなわち、原稿カバーによってシート状押え部材１Ａ３２が押されて該シート状押え部材１Ａ３２と原稿載置台２１とは密着した状態となっている。
【０１００】
一方、原稿カバー１Ａ３１を開放する時の初期動作は、原稿カバー１Ａ３１が上方に移動すると、スイッチ押圧部１Ａ３６が近接スイッチ１Ａ３７から離間して、該近接スイッチ１Ａ３７がＯＦＦ状態となる。
【０１０１】
この時、第１ソレノイド１Ａ３５は、近接スイッチ１Ａ３７からのＯＦＦ信号に基づく制御部１Ａ３８からの指令によってプランジャ１Ａ３５ｂを本体１Ａ３５ａに引き込む方向に力が生じる。これにともない、シート状押え部材１Ａ３２のプランジャ１Ａ３５ｂとの接続部１Ａ３２ｐが第１ソレノイド１Ａ３５側に引張られた状態となる。
【０１０２】
シート状押え部材１Ａ３２の接続部１Ａ３２ｐにおいては、原稿カバー１Ａ３１が上昇することにより生じる引き剥がす力に加えて、第１ソレノイド１Ａ３５による引張り力が生じているので、シート状押え部材１Ａ３２のその他の部分よりも原稿載置台２１から剥がれ易くなる。
【０１０３】
そして、シート状押え部材１Ａ３２は、接続部１Ａ３２ｐにおいて剥がし力が密着力に勝ると、図５に示すように、第１ソレノイド１Ａ３５により接続部１Ａ３２ｐが引き上げられ、その他の部分が原稿載置台２１と密着した状態となる。
すなわち、シート状押え部材１Ａ３２の原稿載置台２１と対向する面は、第１ソレノイド１Ａ３５に引かれた接続部１Ａ３２ｐ付近が凹んだ状態となり、この凹部１Ａ３２ｓが剥がしの基点となってシート状押え部材１Ａ３２を原稿載置台２１から容易に剥がすことができる。
【０１０４】
次に、本実施形態の変形例について図面を参照して説明する。
（変形例１）
変形例１は、図６に示すように、上述した実施形態の原稿カバー１Ａ３１の構成に加えて、原稿押え部材変形機構１Ａ１３３の一部として機能する第２ソレノイド１Ａ１３５を備えたものである。尚、変形例１において、上述した実施形態の原稿読取り装置１Ａ３と同様な構成を有するものは同じ符号を付することで説明を省略する。
【０１０５】
第２ソレノイド１Ａ１３５は、第１ソレノイド１Ａ３５に隣接して複数箇所に配置されている。
【０１０６】
第２ソレノイド１Ａ１３５は、原稿カバー１Ａ３１内に設けられ図示しない支持体によって保持され、本体１Ａ１３５ａと、この本体１Ａ１３５ａにより突出／引き込み可能なプランジャ１Ａ１３５ｂを備えている。プランジャ１Ａ１３５ｂは、シート状押え部材１Ａ３２の背面側に向かい配置され、その先端部１Ａ１３５ｂ１がシート状押え部材１Ａ３２の背面側の一部と押圧するようになっている。
【０１０７】
すなわち、第２ソレノイド１Ａ１３５は、プランジャ１Ａ１３５ｂを本体１Ａ３５ａから突出させることで、シート状押え部材１Ａ３２の接続部１Ａ３２ｐを背面側から押圧するようにされている。そして、シート状押え部材１Ａ３２の一部をシート状押え部材１Ａ３２の背面側から押圧することでシート状押え部材１Ａ３２の原稿載置台２１に対向する面に凹凸部を形成する。
【０１０８】
このように第２ソレノイド１３５を加えて構成することで、上述した実施形態における第１ソレノイド１Ａ３５の作用効果に加えて、第２ソレノイド１３５により第１ソレノイド１Ａ３５に隣接した部分を押えることで、凹凸部の高低差を拡大して、より第１ソレノイド１Ａ３５による引き剥がす作用効果を増大させることができる。
【０１０９】
（変形例２）
変形例２は、図７（ａ）に示すように、原稿押え部材変形機構として、例えば、第１ソレノイド１Ａ３５のプランジャ１Ａ３５ｂの先端部と係合するリンク機構１Ａ４０を備えたものである。尚、変形例２において、上述した実施形態の原稿読取り装置１Ａ３と同様な構成を有するものは同じ符号を付することで説明を省略する。
【０１１０】
第１ソレノイド１Ａ３５は、原稿カバー１Ａ３１内で、シート状押え部材１Ａ３２が原稿カバー１Ａ３１の開閉動作により変位する範囲で、且つ、シート状押え部材１Ａ３２と干渉しない位置で、プランジャ動作方向がシート状押え部材１Ａ３２に対して略平行となるように配置されている。
【０１１１】
リンク機構１Ａ４０は、シート状押え部材１Ａ３２の背面側で該シート状押え部材１Ａ３２と略垂直方向に連結配置される第１リンク体１Ａ４０ａと、第１ソレノイド１Ａ３５のプランジャ１Ａ３５ｂと揺動可能に係合される第２リンク体１Ａ４０ｂとにより構成されている。
【０１１２】
第１リンク体１Ａ４０ａは、一端部１Ａ４０ａ１がシート状押え部材１Ａ３２と接続され、他端部１Ａ４０ａ２が第２リンク体１Ａ４０ｂに支軸１Ａ４０ｃによって揺動可能に軸支されている。
【０１１３】
第２リンク体１Ａ４０ｂは、長手方向の略中央部で支軸１Ａ４０ｄにより回動可能に軸支されている。支軸１Ａ４０ｄは、原稿カバー１Ａ３１内に設けられた図示しない支持体に取付けられている。第２リンク体１Ａ４０ｂの一端部１Ａ４０ｂ１は、第１リンク体１Ａ４０ａの他端部１Ａ４０ａ２が支軸１Ａ４０ｃによって揺動可能に軸支されている。すなわち、第１リンク体１Ａ４０ａと第２リンク体１Ａ４０ｂによって構成されるリンク機構４０は、原稿カバー１Ａ３１に取付けられている。
【０１１４】
第２リンク体１Ａ４０ｂの他端部１Ａ４０ｂ２には長穴１Ａ４０ｂ３が形成され、第１ソレノイド１Ａ３５のプランジャ１Ａ３５ｂの先端部に設けられた連結体１Ａ４０ｅが係合されている。すなわち、第２リンク体１Ａ４０ｂは、プランジャ１Ａ３５ｂの連結体１Ａ４０ｅの動作に連動して長穴１Ａ４０ｂ３が形成されている範囲で揺動可能に構成されている。
【０１１５】
ここで、リンク機構１Ａ４０の作用について図面を参照して説明する。
図７（ｂ）に示すように、第１ソレノイド１Ａ３５が動作してプランジャ１Ａ３５ｂが本体１Ａ３５ａに引き込まれると（矢印ａ方向）、第２リンク体１Ａ４０ｂが支軸１Ａ４０ｄを支点として矢印ｂ方向に回動する。
【０１１６】
第２リンク体１Ａ４０ｂが矢印ｂ方向に回動すると、一端部１Ａ４０ｂ１が上下方向で上方（矢印ｃ方向）に変位するように配置されているので、一端部１Ａ４０ｂ１に係合されている第１リンク体１Ａ４０ａも上方に変位する。これにより、第１リンク体１Ａ４０ａの一端部１Ａ４０ａ１に接続されているシート状押え部材１Ａ３２の接続部１Ａ３２ｐ１が引き上げられて、接続部１Ａ３２ｐ１付近が凹んだ状態となり、この凹部１Ａ３２ｓ１が剥がしの基点となってシート状押え部材１Ａ３２を原稿載置台２１から容易に剥がすことができる。
【０１１７】
このようにリンク機構１Ａ４０を介してシート状押え部材１Ａ３２を動作させるように構成することで、上述した実施形態における第１ソレノイド１Ａ３５の作用効果に加えて、シート状押え部材１Ａ３２に対する原稿押え部材変形機構１Ａ３３を構成する第１ソレノイド１Ａ３５の本体１Ａ３５ａやプランジャ１Ａ３５ｂの重量による影響を無くすことができる。
【０１１８】
以上のように構成したので、本実施形態及びその変形例によれば、原稿読取り装置１Ａ２の原稿カバー１Ａ３１の構成として、シート状押え部材１Ａ３２と、第１ソレノイド１Ａ３５を用いた原稿押え部材変形機構１Ａ３３を備えることで、原稿カバー１Ａ３１を閉じてシート状押え部材１Ａ３２により原稿を押さえている時は、シート状押え部材１Ａ３２と原稿との密着性を良好にして、一方、原稿カバー１Ａ３１を開放する時は、原稿押え部材変形機構１Ａ３３を構成する第１ソレノイド１Ａ３５によりシート状押え部材１Ａ３２の原稿載置台２１に対向する面に凹凸部を形成することで、シート状押え部材１Ａ３２と原稿載置台２１の密着を容易に解除することができる。
これにより、原稿載置操作に支障を来すことなく操作性の優れ、且つ、読取り画像の画質を均一にできる原稿読取り装置を実現できる。
【０１１９】
以上、添付図面を参照しながら本発明の好適な実施形態及び変形例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１２０】
例えば、上述した実施形態では、一つのトナー容器を設置するモノクロ用の画像形成装置に搭載される原稿読取り装置に本発明が適用されているが、カラー用の画像形成装置に本発明の原稿読取り装置を適用することも可能である。
【図面の簡単な説明】
【０１２１】
【図１】本発明に係る原稿読取り装置が採用された画像形成装置の全体の構成を示す説明図である。
【図２】前記画像形成装置の装置本体の構成を示す部分詳細図である。
【図３】前記原稿読取り装置を構成する自動原稿処理装置の構成を示す説明図である。
【図４】前記原稿読取り装置を構成する原稿押え部材変形機構の動作制御を示すブロック図である。
【図５】前記原稿読取り装置の原稿カバーを開放する時の初期動作時の原稿押え部材変形機構によるシート状押え部材と原稿載置台の密着状態を示す説明図である。
【図６】本発明に係る原稿読取り装置を構成する原稿押え部材変形機構の変形例１の構成を示す説明図である。
【図７】（ａ）は本発明に係る原稿読取り装置を構成する原稿押え部材変形機構の変形例２の構成を示す説明図、（ｂ）は前記原稿押え部材変形機構の動作状態を示す説明図である。
【符号の説明】
【０１２２】
１Ａ  画像形成装置
１Ａ２  原稿読取り装置
１Ａ３  自動原稿処理装置
１Ａ３１  原稿カバー
１Ａ３２  シート状押え部材（原稿押え部材）
１Ａ３２ｓ，１Ａ３２ｓ１  凹部
１Ａ３３，１Ａ１３３  原稿押え部材変形機構
１Ａ３４  緩衝部材
１Ａ３５  第１ソレノイド
１Ａ３６  スイッチ押圧部
１Ａ３７  近接スイッチ（原稿カバー開閉検知手段）
１Ａ３８  制御部
１Ａ３９  ドライバ
１Ａ４０  リンク機構（軽減手段）
１Ａ４０ａ  第１リンク体
１Ａ４０ｂ  第２リンク体
１Ａ１３５  第２ソレノイド
２１  原稿載置台（原稿台）
２２  スキャナ部
【図１】
2008275773.tif 000003
【図２】
2008275773.tif 000004
【図３】
2008275773.tif 000005
【図４】
2008275773.tif 000006
【図５】
2008275773.tif 000007
【図６】
2008275773.tif 000008
【図７】
2008275773.tif 000009